(57)【要約】【課題】  再生モード毎のレジューム情報の保存と、異なる装置間でのレジューム情報の利用とを考慮したレジューム情報の保存が可能な記録再生装置及びその制御方法を提供する【解決手段】  再生が停止された際に、その時点の再生モードと、レジューム情報の記録設定で設定された再生モードとが同じであるか確認する。同じであれば、再生モードに対応付けられた記録先を確認し、記録媒体もしくは装置内の記録装置のいずれかにレジューム情報を記録する。【選択図】  図６
2008310910.tif 000002
【特許請求の範囲】
【請求項１】
記録媒体に記録された映像データを、複数の再生モードから選択された再生モードで再生する手段と、
前記映像データの再生を中止した位置に関する情報と、前記映像データの再生を中止した際の再生モードを特定する情報とを対応付けたレジューム情報を生成する手段と、
前記映像データの再生を中止した際の再生モードが予め定められた再生モードである場合には前記レジューム情報を前記記録媒体に記録し、前記映像データの再生を中止した際の再生モードが予め定められた再生モードで無い場合には、前記レジューム情報を前記記録媒体とは異なる記憶装置に記録する手段とを有することを特徴とする記録再生装置。
【請求項２】
前記記録媒体が前記記録再生装置に対して着脱可能な記録媒体であり、前記記憶装置が前記記録再生装置に固定された記憶装置であることを特徴とする請求項１記載の記録再生装置。
【請求項３】
前記記録する手段が、前記レジューム情報を前記記憶装置に記録する際、前記記録媒体の固有情報と対応付けて記録することを特徴とする請求項２記載の記録再生装置。
【請求項４】
前記複数の再生モードは、複数の映像データを前記記録媒体に記録された順番に再生する再生モードと、前記複数の映像データのうち、ユーザが指定した映像データをユーザが指定した順序で再生するモードとを含むことを特徴とする請求項１乃至請求項３のいずれか１項に記載の記録再生装置。
【請求項５】
表示手段と、
前記複数の再生モードのうちの１つをユーザに指定させるためのユーザインタフェース画面を前記表示手段に表示させる手段と、
前記ユーザインタフェース画面を通じてユーザが指定した再生モードを、前記予め定められた再生モードとして設定する手段とをさらに有することを特徴とする請求項１乃至請求項４のいずれか１項に記載の記録再生装置。
【請求項６】
さらに、前記レジューム情報を前記記録媒体に記録しない設定がなされているかどうか確認する手段を有し、
前記記録する手段は、前記レジューム情報を前記記録媒体に記録しない設定がなされている場合には、前記レジューム情報を前記記録媒体及び前記記憶装置のいずれにも記録しないことを特徴とする請求項１乃至請求項５のいずれか１項に記載の記録再生装置。
【請求項７】
さらに、前記レジューム情報を前記記録媒体に記録しない設定がなされているかどうか確認する手段を有し、
前記記録する手段は、前記レジューム情報を前記記録媒体に記録しない設定がなされている場合には、前記レジューム情報を前記記憶装置に記録し、前記記録媒体には記録しないことを特徴とする請求項１乃至請求項５のいずれか１項に記載の記録再生装置。
【請求項８】
記録媒体に記録された映像データを読み出し、複数の再生モードから選択された再生モードで再生する工程と、
前記映像データの再生を中止した位置に関する情報と、前記映像データの再生を中止した際の再生モードを特定する情報とを対応付けたレジューム情報を生成する工程と、
前記映像データの再生を中止した際の再生モードが予め定められた再生モードである場合には前記レジューム情報を前記記録媒体に記録し、前記映像データの再生を中止した際の再生モードが予め定められた再生モードで無い場合には、前記レジューム情報を前記記録媒体とは異なる記憶装置に記録する工程とを有することを特徴とする記録再生装置の制御方法。
【発明の詳細な説明】
【技術分野】
【０００１】
本発明は、記録再生装置及びその制御方法に関し、特に再生停止位置情報を生成可能な記録再生装置及びその制御方法に関する。
【背景技術】
【０００２】
近年、ＨＤＤやＤＶＤなどの大容量記録媒体を利用した記録再生装置（ＨＤＤ／ＤＶＤレコーダーやビデオカメラなど）が普及している。これらの記録再生装置は、動画像と共に再生制御情報を記録することで動画像の再生方法を制御することが可能である。一般的に再生制御情報は規格化されており、規格に準拠する記録再生装置であれば同じ再生制御を実現することができる。
【０００３】
再生制御情報を利用して、動画像の再生方法（再生モード）を複数種類備えた記録再生装置も普及している。一般的には、動画像を記録順に再生するモード（以下、オリジナル再生モード）や、ユーザが任意に選択した動画像を任意の順序で再生するモード（以下、プレイリスト再生モード）などがある。他にも、特定の日付に撮影した動画像だけを再生するモード（以下、日付別再生モード）や、運動会や学芸会などのイベントで撮影した動画像だけを再生するモード（以下、イベント別再生モード）などを備えたものもある。
【０００４】
また、動画像の再生が途中で停止された場合、次回再生時に停止箇所の続きから再生できるよう、動画像の再生停止位置の情報（以下、レジューム情報）を再生制御情報の１つとして記憶する記録再生装置がある。
【０００５】
【特許文献１】特開２００６−１３９８４６号公報
【発明の開示】
【発明が解決しようとする課題】
【０００６】
しかしながら、従来の記録再生装置は、１つの記録媒体に１つのレジューム情報を記録することしかできなかった。そのため、オリジナル再生やプレイリスト再生などの複数の再生モードを備えた記録再生装置でも、再生モード毎にレジューム情報を保持することができなかった。例えば、オリジナル再生モードについてのレジューム情報が記録されている状態で他のモードで再生を行うと、オリジナル再生モードについてのレジューム情報は消去されてしまっていた。
【０００７】
このような課題を解決するため、特許文献１には、複数の再生モードの各々に対するレジューム情報をメモリに保持する再生装置が開示されている。
【０００８】
しかしながら、特許文献１に記載の再生装置は、レジューム情報を内蔵メモリに保存し、記録媒体には記録しない。そのため、ＤＶＤ等の着脱可能な記録媒体について保存されたレジューム情報は、記録媒体を他の再生装置で再生する際には全く利用できず、ユーザの使い勝手が良くない。
【０００９】
本発明は、従来技術のこのような課題を解決するためになされたものである。
本発明は、再生モード毎のレジューム情報の保存と、異なる装置間でのレジューム情報の利用とを考慮したレジューム情報の保存が可能な記録再生装置及びその制御方法を提供することを目的とする。
【課題を解決するための手段】
【００１０】
上述の目的は、記録媒体に記録された映像データを、複数の再生モードから選択された再生モードで再生する手段と、映像データの再生を中止した位置に関する情報と、映像データの再生を中止した際の再生モードを特定する情報とを対応付けたレジューム情報を生成する手段と、映像データの再生を中止した際の再生モードが予め定められた再生モードである場合にはレジューム情報を記録媒体に記録し、映像データの再生を中止した際の再生モードが予め定められた再生モードで無い場合には、レジューム情報を記録媒体とは異なる記憶装置に記録する手段とを有することを特徴とする記録再生装置によって達成される。
【００１１】
また、上述の目的は、記録媒体に記録された映像データを読み出し、複数の再生モードから選択された再生モードで再生する工程と、映像データの再生を中止した位置に関する情報と、映像データの再生を中止した際の再生モードを特定する情報とを対応付けたレジューム情報を生成する工程と、映像データの再生を中止した際の再生モードが予め定められた再生モードである場合にはレジューム情報を記録媒体に記録し、映像データの再生を中止した際の再生モードが予め定められた再生モードで無い場合には、レジューム情報を記録媒体とは異なる記憶装置に記録する工程とを有することを特徴とする記録再生装置の制御方法によっても達成される。
【発明の効果】
【００１２】
このような構成により、本発明によれば、ユーザの使い勝手の良いレジューム再生機能を実現する記録再生装置及びその制御方法が得られる。
【発明を実施するための最良の形態】
【００１３】
以下、添付図面を参照して、本発明の好適かつ例示的な実施形態について説明する。
図１は、本発明の実施形態に係る記録再生装置の一例としてのデジタルビデオカメラ１００の構成例を示すブロック図である。
【００１４】
図１において、システムコントロール部１０４は、デジタルビデオカメラ１００の各部を制御し、後述する再生処理を含めた各種の動作を実現する。システムコントロール部１０４は、図示しないＣＰＵと、ＣＰＵが実行するプログラムを格納するＲＯＭと、ＣＰＵがプログラムの実行時に用いるＲＡＭとを備えている。そして、ＣＰＵがＲＯＭに格納されたプログラムを実行することにより、デジタルビデオカメラ全体の動作を制御する。
【００１５】
撮像部１０１は、レンズユニット１０１ａや撮像素子１０１ｂ（ＣＣＤイメージセンサ、ＣＭＯＳイメージセンサ等）などを備える。レンズユニット１０１ａは、固定レンズ、変倍レンズ、絞り、フォーカス機構などから構成され、システムコントロール部１０４の制御に応じて倍率の変更や絞り値の変更などを行う。レンズユニット１０１ａは被写体からの反射光を集光し、撮像素子１０１ｂに被写体像を結像する。撮像素子は光電変換素子であり、結像された被写体像を撮像信号に変換する。撮像信号は、図示しないＡ／Ｄ変換器によりデジタルデータに変換されて出力される。
【００１６】
操作部１０３は、電源スイッチ、記録開始・一時停止スイッチ、再生開始・一時停止スイッチ、停止スイッチ、メニューボタンなど、各種入力デバイスを含む。ユーザは、操作部１０３を用いてデジタルビデオカメラ１００に指示やデータの入力を行う。操作部１０３の操作は、システムコントロール部１０４によって検出され、システムコントロール部１０４は検出した操作に応じた処理の実行を制御する。
【００１７】
記録系回路ブロック１１０は、画像信号処理部１１１、音声信号処理部１１２、画像データ符号化部１１３、音声データ符号化部１１４、メタデータ生成部１１５、およびデータ符号化処理部１１６から構成される。音声信号処理部１１２には、音声入力デバイスであるマイクロフォン１０２が接続される。
【００１８】
また、再生系回路ブロック１２０は、画像出力部１２１、音声出力部１２２、画像データ復号化部１２３、音声データ復号化部１２４、データ復号化処理部１２５、再生解析部１２６から構成される。画像出力部１２１には、例えば液晶表示装置（ＬＣＤ）である表示部１０７が接続される。また、画像及び音声を外部装置へ出力するための映像出力端子１０８及び音声出力端子１０９が、画像出力部１２１および音声出力部１２２にそれぞれ設けられている。
【００１９】
記録再生部１０５は、システムコントロール部１０４の制御に従い、記録系回路ブロック１１０からの映像データや音声データと、管理情報処理部１２８からの管理情報を記録媒体１０６へ記録する。また、記録再生部１０５は、システムコントロール部１０４の制御に従い、記録媒体１０６に記録された映像データ、音声データ及び管理情報を読み出し、再生系回路ブロック１２０へ供給する。なお、以下の説明において、「映像データ」は、静止画データ、動画データはもとより、付随する音声データを含む。
【００２０】
記録媒体１０６は、着脱可能な任意の記録媒体であってよい。記録媒体１０６としては、光ディスク、半導体メモリカード、ハードディスクカートリッジなどを例示することができる。ただし、記録媒体１０６が固定記録媒体であっても、本発明を適用することは可能である。
【００２１】
記憶装置としてのメモリ１２７は、システムコントロール部１０４が制御動作を行う際のワークエリアとして利用され、少なくとも一部が不揮発性メモリによって構成される。管理情報処理部１２８は、記録媒体１０６に記録される映像データの管理情報を生成する。管理情報の詳細については後述する。
【００２２】
（記録動作）
次に、本実施形態のデジタルビデオカメラ１００における通常の記録動作について説明する。
操作部１０３により記録モードがセットされ、記録開始スイッチの押下により記録開始が指示されると、システムコントロール部１０４は撮像部１０１及び記録系回路ブロック１１０の各部を制御して記録を開始する。メモリ１２７はシステムコントロール部１０４がビデオカメラを制御する際のワークエリアとして利用される。
【００２３】
記録系回路ブロック１１０において、撮像部１０１からの画像（動画又は静止画）データは画像信号処理部１１１に入力される。画像信号処理部１１１は撮像部１０１からの画像データに対し、予め定められた符号化フォーマットに従うサブサンプルなどの処理を施し、画像データ符号化部１１３に出力する。
【００２４】
画像データ符号化部１１３は画像信号処理部１１１からの画像データを例えば動画データについてはＭＰＥＧ２方式、静止画データについてはＪＰＥＧ方式に従って符号化し、データ符号化処理部１１６に出力する。また、画像データ符号化部１１３は一つの映像データファイルの代表画像を示すサムネイル画像を生成し、データ符号化処理部１１６に出力する。本実施形態のデジタルビデオカメラ１００は、記録開始の指示が入力されてから、記録停止の指示が入力されるまでの間に得られた画像及び音声データを一つのファイル（映像データファイル）として記録するものとする。
【００２５】
マイクロフォン１０２からの音声データは音声信号処理部１１２に入力される。音声信号処理部１１２はマイクロフォン１０２からの音声データをデジタルデータに変換し、更に、ノイズ抑圧や増幅等の処理を施し、音声データ符号化部１１４に出力する。音声データ符号化部１１４は音声信号処理部１１２からの音声データを例えばＭＰＥＧ２方式で符号化し、データ符号化処理部１１６に出力する。
【００２６】
メタデータ生成部１１５は、撮影日時やＦ値など、撮影情報を示すデータ（メタデータ）を生成し、データ符号化処理部１１６に出力する。
【００２７】
データ符号化処理部１１６は、画像データ符号化部１１３、音声データ符号化部１１４及びメタデータ生成部１１５からのデータを、予め定められた形式のデータストリームに整え、記録再生部１０５に出力する。この際、データ符号化処理部１１６は、メタデータ生成部１１５からのメタデータ及び、画像データ符号化部１１３からのサムネイル画像は、符号化された画像データや音声データのヘッダあるいはフッタに配置する。ヘッダにはこの他、ファイル名なども記録される。
【００２８】
記録系回路ブロック１１０は、記録動作を行っている間、生成した画像データや音声データなどに関する情報を管理情報処理部１２８に通知する。この情報を元に、管理情報処理部１２８は再生制御情報を含む管理情報を生成し、記録再生部１０５に供給する。本実施形態において、管理情報は、再生制御情報（レジューム情報）の他にも、例えば、記録媒体１０６に記録されている映像データファイルの数、再生時間、管理番号、動画や音声の符号化形式、テキスト情報などがある。
【００２９】
記録再生部１０５は、データ符号化処理部１１６からのデータストリームを、記録媒体１０６に記録するための形式に整え、記録媒体１０６に対して記録する。また、記録再生部１０５は、設定に応じて、管理情報処理部１２８が生成した管理情報を管理情報ファイルとして記録媒体１０６に記録する。
【００３０】
（再生動作）
次に、本実施形態のデジタルビデオカメラ１００における通常の再生動作について説明する。
操作部１０３を通じて再生モードがセットされると、システムコントロール部１０４は管理情報を記録媒体１０６から読み出し、管理情報処理部１２８により管理情報の解析を行わせる。
【００３１】
システムコントロール部１０４は管理情報の解析結果に基づいて記録再生部１０５及び再生系回路ブロック１２０を制御し、記録媒体１０６に記録されている動画像の代表画像であるサムネイル画像を一覧表示したインデックス画面を表示部１０７に表示させる。ユーザは表示部１０７に表示されたインデックス画面に一覧表示されたサムネイル画像を確認し、操作部１０３を操作してサムネイル画像を選択することにより、再生を希望するファイルを選択する。システムコントロール部１０４は操作部１０３を通じてインデックス画面から選択されたサムネイル画像に対応する映像データの再生制御を開始する。
【００３２】
システムコントロール部１０４は、再生する映像データを記録媒体１０６から記録再生部１０５により読み出させる。記録再生部１０５は、読み出した映像データを再生系回路ブロック１２０へ順次供給する。
【００３３】
再生系回路ブロック１２０において、記録再生部１０５により記録媒体１０６から読み出された映像データは、再生解析部１２６に与えられる。再生解析部１２６は、記録再生部１０５により再生されたデータを、映像データ及び音声データと、メタデータなどの他のデータに分離する。そして、映像データ及び音声データをデータ復号化処理部１２５に出力する。また、映像データと音声データ以外のデータをシステムコントロール部１０４に出力する。
データ復号化処理部１２５は再生されたデータに含まれる画像データ、音声データを検出し、画像データを画像データ復号化部１２３に、音声データを音声データ復号化部１２４にそれぞれ出力する。
【００３４】
画像データ復号化部１２３はデータ復号化処理部１２５から出力された画像データを復号化し、画像出力部１２１に出力する。画像出力部１２１は復号化された画像データを外部モニタやその他外部機器にて処理するのに適した形式に変換し、映像出力端子１０８または表示部１０７に出力する。
【００３５】
音声データ復号化部１２４はデータ復号化処理部１２５から出力された音声データを復号化し、音声出力部１２２に出力する。音声出力部１２２は復号化された音声信号を外部機器にて処理するのに適した形式に変換し、音声出力端子１０９に出力する。
【００３６】
次に、再生モードに応じた再生処理について説明する。
本実施形態のデジタルビデオカメラ１００は、映像データを複数の再生方法（再生モード）に従って再生可能である。ここで、再生モードとは、記録媒体１０６に記録されている複数の映像ファイルのうち、どの映像ファイルをどのような順序で再生するかを制御する方法（再生制御方法）を意味する。
【００３７】
本実施形態では、映像データを、記録媒体１０６に記録された順に再生していくオリジナル再生モードと、ユーザが任意に選択した映像データを任意の順序で再生するプレイリスト再生モードの２つの再生モードを備えているものとする。ユーザは、操作部１０３を操作して任意に再生モードを切り替えることができる。なお、ここではオリジナル再生とプレイリスト再生の２つを挙げているが、前述した日付別再生モードやイベント別再生モードなど、他の再生モードを有していてもよいことは言うまでもない。
【００３８】
図２はオリジナル再生モードが設定されている際に表示されるインデックス画面の例を示す図である。インデックス画面２０１には、記録媒体１０６に記録されている各動画像のサムネイル画像２０２〜２０７が表示されている。サムネイル画像２０２〜２０７は、動画像の記録順に配置されている。ユーザは、操作部１０３を操作して所望のサムネイル画像を選択し、再生を指示することにより、再生指示された映像データから視聴することが可能である。
【００３９】
システムコントロール部１０４は、指定された映像データの視聴を開始させるとともに、記録された順番に任意の位置から再生を開始することができ、再生開始後はサムネイルの並び順（記録順）に動画像が再生されていく。
【００４０】
図３はプレイリスト再生モードが設定されている際に表示されるインデックス画面の例を示す図である。
ユーザは例えば図２に示したようなインデックス画面２０１から、所望のサムネイル画像を所望の順に選択することにより、プレイリストを生成することができる。図３のインデックス画面３０１では、既に生成されたプレイリストに含まれる映像データの代表画像であるサムネイル画像３０２〜３０４が一覧表示されている状態を示している。サムネイル画像３０２、３０３、３０４は、サムネイル画像２０５、２０２、２０７と同じであり、このプレイリストは、サムネイル画像２０５、２０２、２０７に対応する映像データをこの順序で再生する再生制御情報であることを示す。
【００４１】
生成されたプレイリスト（再生する映像データとその順序を示す情報）は、管理情報処理部１２８によって生成され、記録再生部１０５により所定のフォーマットに形成され、記録媒体１０６に再生制御情報として記録される。
【００４２】
（レジューム情報の記録設定及び記録処理）
本実施形態では、設定に応じてレジューム情報を記録媒体１０６又はメモリ１２７に記録する。
具体的には、本実施形態においては、レジューム情報が生成された際の再生モードに応じて記録先を設定しておくことができる。
【００４３】
例えば、「プレイリスト再生モード時に生成されたレジューム情報は記録媒体１０６に記録する」との設定であれば、プレイリスト再生モード時に生成されたレジューム情報は記録媒体１０６に記録され、メモリ１２７には記録されない。一方、それ以外の再生モード、例えばオリジナル再生モード時に生成されたレジューム情報は記録媒体１０６には記録されず、メモリ１２７に記録される。
【００４４】
また、本実施形態においては、レジューム情報を記録媒体１０６に記録するか否かの設定も可能である。記録媒体１０６にレジューム情報を記録しない設定の場合、生成されたレジューム情報は再生モードとは無関係に、記録媒体１０６へは記録しない。この場合、メモリ１２７には記録するようにしてもよいし、メモリ１２７にも記録しないようにしてもよい。
【００４５】
記録媒体１０６にレジューム情報を記録する場合、レジューム情報を生成する管理情報処理部１２８が、規格に即した形式で生成すれば、記録媒体１０６を規格に準拠した他の装置で再生する場合にも、レジューム再生が可能である。もちろん、記録媒体１０６が固定記録媒体である場合でも、規格に準拠した他の装置の記録媒体に例えばネットワークを通じてコピーすることで、レジューム再生が実現されることは言うまでもない。
一方、メモリ１２７に記録されたレジューム情報は、他の再生機には引き継ぐことはできず、あくまでも自己再生する場合においてのみ有効となる。
【００４６】
このような形態にすることにより、１つの記録媒体に１つのレジューム情報しか保持できない場合でも、ユーザが希望するレジューム情報は記録媒体１０６に記録される。そのため、記録媒体１０６を他の（レジューム情報を解釈できる）装置で再生する場合でも、前回の続きから正しくレジューム再生される。
【００４７】
また、記録媒体１０６に記録されない他のレジューム情報は装置内の記憶装置（メモリ等）に記録するので、自己再生する場合には再生モード毎のレジューム再生が可能であり、利便性が高い。
【００４８】
なお、本実施形態においては、１つの記録媒体に対して１つのレジューム情報を記録するものとしているが、これは現在の規格による制限に基づくものである。従って、１つの記録媒体に複数のレジューム情報を記録することが規格化された場合は、記録するレジューム情報の数を規格の範囲内で増加させることが可能である。
【００４９】
（レジューム情報の記録設定）
図４は、本実施形態のデジタルビデオカメラ１００におけるレジューム情報の記録設定処理を説明するフローチャートである。
レジューム情報の記録設定処理は、デジタルビデオカメラ１００における他のパラメータの設定と同様、操作部１０３を通じたメニュー画面の操作によりレジューム情報設定の実行が指示された場合はもとより、任意のタイミングで実行されうる。
【００５０】
まず、システムコントロール部１０４は、画像出力部１２１を通じてレジューム情報設定画面を表示部１０７に表示させる（Ｓ７０１）。なお、レジューム情報設定画面を始めとするユーザインタフェース画面（ＧＵＩ画面）を表示するためのデータ（ＧＵＩデータ）は、例えばメモリ１２７に予め記憶されているものとする。システムコントロール部１０４は、ＧＵＩデータを必要に応じて読み出し、画像出力部１２１に供給して、表示部１０７にＧＵＩ画面を表示させることができる。
【００５１】
図５は、本実施形態においてデジタルビデオカメラ１００が表示するレジューム情報設定画面６００の例を示す図である。
ユーザは、操作部１０３を通じ、ユーザインタフェース画面であるレジューム情報設定画面６００を操作することにより、レジューム情報の記録設定を行うことができる。
【００５２】
上述のように、本実施形態では、レジューム情報を記録媒体１０６に記録するか否か、また、記録する場合には、どの再生モードで生成されたレジューム情報を記録するかを設定することが可能である。図５の例では、選択可能な再生モードとして、オリジナル再生モードとプレイリスト再生モードの２つを示しているが、それ以外の再生モードも選択肢に含めても良いことは言うまでもない。
ただし、記録媒体１０６に記録するレジューム情報を規格に準拠した形式とする場合には、規格がサポートする再生モードのみを選択肢として表示する。
【００５３】
システムコントロール部１０４は、ユーザがレジューム情報設定画面６００を操作して選択肢を選択するのを待つ（Ｓ７０２）。選択がなされると、システムコントロール部１０４は、「保存しない」が選択されたかどうかを調べる（Ｓ７０３）。
【００５４】
「保存しない」が選択された場合、システムコントロール部１０４は、既に記録媒体１０６にレジューム情報が記録されているかを記録再生部１０５を通じて確認する（Ｓ７１０）。そして、レジューム情報が記録されている場合は、そのレジューム情報をメモリ１２７にコピーした後、記録媒体１０６に記録されているレジューム情報を消去する（Ｓ７１１）。すなわち、システムコントロール部１０４は、記録媒体１０６に記録されているレジューム情報をメモリ１２７に移動する。一方、記録媒体１０６にレジューム情報が記録されていない場合は、記録媒体１０６にはレジューム情報を記録しない旨のレジューム情報設定を例えばメモリ１２７に記憶し、処理を終了する。
【００５５】
レジューム情報設定画面６００において、いずれかの再生モードが選択された場合、システムコントロール部１０４は、選択された再生モードと記録先（記録媒体１０６）とを対応付けたレジューム情報設定をメモリ１２７に記憶する（Ｓ７０４）。
【００５６】
次に、システムコントロール部１０４は、記録再生部１０５を通じて、既に記録媒体１０６にレジューム情報が記録されているか否かを確認する（Ｓ７０５）。記録されていない場合は、Ｓ７０８の処理へ進む。
【００５７】
記録されている場合、システムコントロール部１０４は、記録されているレジューム情報がどの再生モードのレジューム情報であるかを確認する（Ｓ７０６）。そして、ユーザが選択した再生モードとは異なる再生モードについてのレジューム情報である場合、システムコントロール部１０４は、記録媒体１０６に記録されているレジューム情報をメモリ１２７に移動する（Ｓ７０７）。ユーザが選択した再生モードについてのレジューム情報が記録媒体１０６に記録されている場合は、そのまま処理をＳ７０８へ移す。
【００５８】
次に、システムコントロール部１０４は、ユーザが選択した再生モードについてのレジューム情報が、メモリ１２７に存在するか確認する（Ｓ７０８）。存在する場合は、記録再生部１０５により、そのレジューム情報をメモリ１２７から記録媒体１０６にコピーし、メモリ１２７からそのレジューム情報を消去する（Ｓ７０９）。すなわち、レジューム情報をメモリ１２７から記録媒体１０６へ移動する。ユーザが選択した再生モードについてのレジューム情報がメモリ１２７に存在しない場合は、記録設定処理を終了する。
【００５９】
（レジューム情報の記録処理）
次に、記録設定に従ったレジューム情報の記録処理について説明する。
図６は、本実施形態のデジタルビデオカメラ１００におけるレジューム情報の記録処理を説明するフローチャートである。
レジューム情報の記録処理は、動画再生実行中に操作部１０３から動画再生の停止が指示された際に実行される。
【００６０】
まず、システムコントロール部１０４は、所定の再生停止処理を実行する（Ｓ５０１）。再生停止処理が終了すると、システムコントロール部１０４は、例えばメモリ１２７を参照してレジューム情報の記録設定の内容を確認すると共に、現在の再生モードを確認する（Ｓ５０２）。
【００６１】
ここで、記録設定が、レジューム情報を記録媒体１０６に記録しない設定であれば、システムコントロール部１０４はレジューム情報記録処理を終了する（Ｓ５０３）。
レジューム情報を記録する設定がなされている場合、システムコントロール部１０４は、管理情報処理部１２８を制御してレジューム情報を生成させる（Ｓ５０４）。
【００６２】
本実施形態のデジタルビデオカメラ１００は、再生モード毎にレジューム情報を保持することが可能である。レジューム情報とは、動画像再生中にユーザ操作などにより再生が停止された位置（あるいは再生再開位置）を示す情報であり、少なくとも再生モードと関連付けされる。次回再生時にレジューム情報を参照し、停止位置から再生を開始することで、ユーザに、前回の続きからの視聴を提供することができる。なお、レジューム情報には、前述のデータ以外の情報、例えば、ファイル番号やアドレスなどを含んでも良い。また、着脱可能な記録媒体１０６の固有情報を含ませることにより、記録媒体毎にレジューム情報を管理することが可能になる。
【００６３】
なお、再生停止位置を示す情報は、レジューム情報の生成時に記録再生部１０５を通じて取得することもできるし、再生処理中に記録再生部１０５から再生位置を示す情報（例えば先頭からの時刻情報）を随時受け取るようにしてもよい。再生停止位置の取得に関しては周知の任意の方法を利用可能であるため、これ以上の詳細は説明を省略する。
【００６４】
次に、システムコントロール部１０４は、現在の再生モードが、レジューム情報の記録設定で設定されている再生モードであるか否かを確認する（Ｓ５０５）。現在の再生モードが、記録媒体１０６へレジューム情報を記録する再生モードとして設定されていれば、システムコントロール部１０４は管理情報処理部１２８及び記録再生部１０５を用いてレジューム情報を記録媒体１０６に記録させる（Ｓ５０６）。現在の再生モードが、記録媒体１０６へレジューム情報を記録する再生モードとして設定されていなければ、システムコントロール部１０４はレジューム情報を管理情報処理部１２８から取得し、現在の再生モードと対応付けてメモリ１２７に記録する（Ｓ５０７）。なお、メモリ１２７にレジューム情報を記録する場合、着脱可能な記録媒体１０６を特定可能な固有情報と対応付けて記録することにより、個々の記録媒体１０６についてレジューム情報を記録及び利用することが可能である。
【００６５】
図７は、図３に示したプレイリストに従った再生中に停止指示があった場合の処理を模式的に示す図である。
ユーザが再生停止を実行すると、Ｓ５０１の再生停止処理において、システムコントロール部１０４はインデックス画面の表示処理を行なう。
【００６６】
ここでは、図３に示したプレイリストに従った再生が中断されたので、図３に示したインデックス画面と実質的に同じ内容のインデックス画面４０１が表示される。プレイリストに含まれる３つの映像データは、それぞれタイムライン４０３で示す長さを有するものとする。
【００６７】
図７（ａ）に示す一覧表示画面の例は、映像２を再生中に停止された場合を示している。また、レジューム情報を記録する設定になっているものとする。そのため、Ｓ５０４以降の処理においてレジューム情報が生成され、記録設定に応じて記録媒体１０６又はメモリ１２７に記録される。
【００６８】
本実施形態では、再生が途中で中止された映像データに対応するサムネイル画像を表示する際、レジューム情報に対応する映像データのサムネイル画像には、レジュームマーク４０２を付加して表示する。
【００６９】
図６の処理であれば、レジューム情報を記録した時点で、レジューム情報に対応する映像データのサムネイル画像３０３にレジュームマーク４０２を付加する。レジュームマーク４０２は、再生中止時に表示されるインデックス画面だけでなく、図２や図３で示した通常の一覧表示画面においても表示を行う。この場合は、一覧表示画面を表示する際に、対応するレジューム情報の有無を確認し、レジューム情報があれば対応するサムネイル画像にレジュームマーク４０２を付加する。
これにより、ユーザは、レジュームマーク４０２が付加されたサムネイル画像を選択して再生を指示すれば、前回停止した位置からの視聴を行うことができる。
【００７０】
図７（ｂ）は、レジューム情報４０４の具体例を示しており、停止時の再生モードを表す情報（モード番号）と、再生停止位置を表す情報（ここでは、先頭動画像からの経過時間、換言すれば再生済の時間）によって構成される。上述したように、記録媒体毎の管理を行う場合には、さらに記録媒体１０６の固有情報が関連付けされる。また、他の情報が含まれても良いことも上述したとおりである。
【００７１】
なお、本実施形態では、ユーザが選択した再生モードのレジューム情報のみを記録媒体１０６に記録される管理情報として記録するものとして説明した。しかし、ユーザ設定ではなく、予め特定の再生モードのレジューム情報のみを記録媒体１０６に記録するように構成することも可能である。
【００７２】
また、新規に生成されたレジューム情報は常に記録媒体１０６に記録し、新規レジューム情報が過去に記録媒体１０６に記録されたレジューム情報と再生モードが異なる場合のみ、過去のレジューム情報をメモリに移動するように構成することも可能である。これにより、従来のように新規のレジューム情報によって、それとは異なる再生モードについてのレジューム情報が消去されることを回避できる。
【００７３】
なお、上述のように、記録媒体１０６へは記録しない設定であっても、メモリ１２７には記録するようにしてもよい。この場合、システムコントロール部１０４はＳ５０４におけるレジューム情報の生成をＳ５０３の前に行い、記録媒体１０６へのレジューム情報の記録を行わない設定の場合には、Ｓ５０７と同様にしてメモリ１２７にレジューム情報を記録する。
【００７４】
なお、本実施形態では、記録再生装置の一例としてのデジタルビデオカメラに本発明を適用した場合を説明したが、ＤＶＤ／ＨＤＤレコーダーなどの据置きレコーダーや、携帯電話、パソコンなど、映像データの記録再生が可能な任意の装置に適用可能である。
【００７５】
以上説明したように、本実施形態によれば、レジューム情報の記録先を、再生モードに応じて記録媒体もしくは装置内部の記憶装置から選択できるようにした。
これにより、記録媒体にはユーザが他の装置でも利用したいレジューム情報を記録することができる一方、レジューム情報を生成した機器で再生を行う場合には、他の再生モードについてのレジューム情報を利用したレジューム再生も可能となる。特に、規格により１つの記録媒体に記録可能なレジューム情報の数が制限されている状況において、利便性と、レジューム情報の異なる装置間での互換性とを両立することが可能である。
【００７６】
（他の実施形態）
上述の実施形態は、システム或は装置のコンピュータ（或いはＣＰＵ、ＭＰＵ等）によりソフトウェア的に実現することも可能である。
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７７】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００７８】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００７９】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００８０】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
つまり、上述の実施形態を実現するためのプログラムファイルをクライアントコンピュータに提供するサーバ装置も本発明の一つである。
【００８１】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【００８２】
また、上述の実施形態を実現するためのコンピュータプログラムは、すでにコンピュータ上で稼働するＯＳの機能を利用するものであってもよい。
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００８３】
【図１】本発明の実施形態に係る記録再生装置の一例としてのデジタルビデオカメラの構成例を示すブロック図である。
【図２】本発明の実施形態に係るデジタルビデオカメラにおいて、オリジナル再生モードが設定されている際に表示されるインデックス画面の例を示す図である。
【図３】本発明の実施形態に係るデジタルビデオカメラにおいて、プレイリスト再生モードが設定されている際に表示されるインデックス画面の例を示す図である。
【図４】本発明の実施形態に係るデジタルビデオカメラにおけるレジューム情報の記録設定処理を説明するフローチャートである。
【図５】本発明の実施形態に係るデジタルビデオカメラが表示するレジューム情報設定画面の例を示す図である。
【図６】本発明の実施形態に係るデジタルビデオカメラにおけるレジューム情報の記録処理を説明するフローチャートである。
【図７】図３に示したプレイリストに従った再生中に停止指示があった場合の処理を模式的に示す図である。
【図１】
2008310910.tif 000003
【図２】
2008310910.tif 000004
【図３】
2008310910.tif 000005
【図４】
2008310910.tif 000006
【図５】
2008310910.tif 000007
【図６】
2008310910.tif 000008
【図７】
2008310910.tif 000009